(57)【要約】【課題】  ロックナットの使用時または非使用時のどちらでも高い操作性を発揮できるシリンジと、このシリンジに用いられるロックナット、および当該ロックナットを装着可能なシリンジを提供する。【解決手段】  プレフィルドシリンジ1において、シリンジ側に対して容易に脱着可能な接続具であるロックナット30を、軸方向に沿って、ルアー部120の段差部123に配された固定具20と係合するように装着する。固定具20は、挿通孔202を有する板状の固定具本体201と、固定具本体201の周面より一方向に延長された2本の板状アーム205、206と、固定具本体201の周面より、前記一方向とは逆方向に延長された2本の板状のレバー203、204を有する。これによってレバー203、204を押圧すると、アーム205、206が軸方向から開き、ロックナット30が脱離可能になる。【選択図】  図1
2005296135.tif 000002
【特許請求の範囲】
【請求項１】
ポートにシリンジを接続するための接続具が備えられた接続具付きシリンジであって、
ルアー部には固定具が装着されており、
当該固定具は接続具の外周面と係合し、
少なくとも固定具に対して所定の操作によりシリンジ軸方向とは異なる方向に外力を加えることによって、前記係合が解除される構成であることを特徴とする接続具付きシリンジ。
【請求項２】
固定具は、ルアー部に挿通および保持されるための孔を有する本体とともに、当該本体より延長して配された延長部上に第一の係合部を備え、
前記接続具の本体は筒体であって、当該接続具の本体の外周面に第二の係合部を有し、
接続具の本体がシリンジのルアー部に挿通され、且つ、前記固定具の延長部が接続具外周面と弾性接触することで、前記第一の係合部および第二の係合部が互いに係合し、
前記所定の操作により延長部の第二の係合部を接続具外周面から離間させることで、前記係合が解除される構成であることを特徴とする請求項1に記載の接続具付きシリンジ。
【請求項３】
シリンジ本体のルアー部に装着された第一の係合部を持つ固定具に保持されつつ、ポートにシリンジを接続するための接続具であって、
当該接続具の外周面には、固定具の第一の係合部と係合するための第二の係合部が形成されており、
少なくとも固定具に対して所定の操作によりシリンジ軸方向とは異なる方向に外力を加えることによって、前記係合が解除される構成であることを特徴とする接続具。
【請求項４】
前記接続具の本体は筒体であって、当該接続具の本体の外周面に前記第二の係合部を持ち、
接続具の本体がシリンジのルアー部に挿通されるとともに、前記固定具の第一の係合部が接続具の第二の係合部と弾性接触することで、接続具と固定具が互いに係合し、
前記所定の操作により第二の係合部を接続具外周面から離間させることで、前記係合が解除される構成であることを特徴とする請求項3に記載の接続具。
【請求項５】
シリンジ本体のルアー部に配された固定具に、シリンジをポートと接続するための接続具を装着可能なシリンジであって、
前記固定具には、請求項3または4に記載の接続具における第二の係合部と係合可能な第一の係合部が形成されていることを特徴とするシリンジ。
【発明の詳細な説明】
【技術分野】
【０００１】
本発明は、接続具付きシリンジ、およびシリンジに用いる接続具、並びにシリンジに関する。
【背景技術】
【０００２】
医療現場において、いわゆる注射筒であるシリンジは多様な態様により用いられる。一般的にはシリンジ先端のルアー部に針管を備える針基等のメステーパー型コネクタを装着し、患者から採血したり、シリンジ内に貯留された薬剤を患者へ投与するのに用いられる。また、輸液ラインシステム、採血ラインシステム等のパイプラインシステムと称されるシステムにおいても、シリンジが用いられることがある。このシステムでは、シリンジをラインシステムの外部ポートに接続し、そこからシリンジ中の薬剤を投与したり、逆にライン中から採取を行ったりする。このようなシリンジとラインシステムの接続方法として、ラインシステムの前記ポートに直接ルアー部を挿入する直接接続方法と、接続具（ロックナット）を用いてルアー部と前記ポートとを螺合して接続する固定接続方法が使用される。
【０００３】
ところで、上記ラインシステムのポートへ固定接続できるシリンジには、最初からルアー部にロックナットがセットされていることが多い。これはシリンジと上記ラインシステムとを確実に接続するために、ルアー部に径の異なる段差部を設け、ルアー部にロックナットを予め挿通してこの段差部で保持させておくことで、迅速な接続操作を行えるようにしたものである。
【０００４】
なお、医療現場におけるシリンジには、プレフィルドシリンジと称されるものが用いられることもある。プレフィルドシリンジは、シリンジ本体内に予め薬剤が注入されたものである。この場合、シリンジ本体のノズル先端は例えば樹脂で封口されているが、使用時にはこの部分を開口し、プランジャを押し込んで薬剤を吐出させるようになっている。プレフィルドシリンジを用いれば、患者への薬剤投与や薬剤混合に掛かる手間や時間を低減して速やかな処理を促すことができるので、前記接続具付きシリンジにも適用されている。
【特許文献１】特開平7-148271号公報
【発明の開示】
【発明が解決しようとする課題】
【０００５】
ここで、前述した接続具付きシリンジは、図9に示すように、上記直接接続型のポートに対してはロックナットが邪魔になり、ルアー部を前記ポートに接続できないという問題がある。医療現場では、直接接続型のポートと固定接続型のポートとが混在して用いられることもあるので、どちらのタイプのポートにも適切にシリンジを接続できることが望ましい。
【０００６】
また別の問題として、図10に示すように、上記接続具付きシリンジに対して、ルアー部に針基を装着しようとしたとき、ロックナットが邪魔をしてユーザがルアー部と針基との正しい位置関係を把握できず、ルアー部と針基とをうまく接続できない。また、ルアー部にロックナットがセットされていることから、その分外部に露出しているルアー部の長さが不足してしまい、針基をルアー部に十分ホールドさせることができないという問題がある。
【０００７】
このように、ロックナット付きシリンジの汎用性における課題は、迅速で正確な対応を求められる医療現場の要求から早急に改善が望まれている。
本発明は以上の課題に鑑みて為されたものであって、その目的は、ポートに対して固定接続することが可能であるとともに、接続具を使用しない直接接続などの場合でも高い操作性を発揮できるシリンジと、このシリンジに用いられる接続具、および当該接続具を装着可能なシリンジを提供することにある。
【課題を解決するための手段】
【０００８】
上記課題を解決するために、本発明は、ポートにシリンジを接続するための接続具が備えられた接続具付きシリンジであって、ルアー部には固定具が装着されており、当該固定具は接続具の外周面と係合し、少なくとも固定具に対して所定の操作によりシリンジ軸方向とは異なる方向に外力を加えることによって、前記係合が解除される構成とした。
具体的には、固定具は、ルアー部に挿通および保持されるための孔を有する本体とともに、当該本体より延長して配された延長部上に第一の係合部を備え、前記接続具の本体は筒体であって、当該接続具の本体の外周面に第二の係合部を有し、接続具の本体がシリンジのルアー部に挿通され、且つ、前記固定具の延長部が接続具外周面と弾性接触することで、前記第一の係合部および第二の係合部が互いに係合し、前記所定の操作により延長部の第二の係合部を接続具外周面から離間させることで、前記係合が解除される構成とすることもできる。
【発明の効果】
【０００９】
このような本発明の構成では、具体的には第一に、固定具を配したルアー部に接続具の挿通孔を挿入し、その後接続具と固定具を係合させることで、接続具をシリンジ側に装着することができる。つまり、本発明は従来のようにシリンジ本体のルアー部に直接接続具を装着するのではなく、固定具を介して接続具をルアー部に装着する構成である。ユーザはこのように固定具を介して接続具をシリンジ側へ装着し、接続具を利用してシリンジを輸液ラインシステム等の固定接続型ポートに接続することができる。
【００１０】
そして第二に本発明では、所定の操作により軸方向とは異なる方向から外力を加えることによって、前記係合を解除し、ルアー部から容易に接続具を外し取ることができる。
このように固定具は接続具の外周面と接触することで係合するようになっているので、接続具をルアー部から取り外せば、接続具とルアー部との間に十分な隙間が形成される。これによりルアー部を直接接続型ポートに接続する際に接続具が邪魔になることがないので、ルアー部を接続具を用いない輸液ラインシステム等の直接接続型ポートにも確実に接続することができ、高い汎用性を発揮することが可能である。
【００１１】
また、従来構成のプレフィルドシリンジでは、接続具が邪魔してユーザがルアー部と針基の位置を確認するのが困難であったが、本発明では上記のように簡単に接続具をシリンジと分離できるので、このような従来の問題を根本的に解決することができる。
【発明を実施するための最良の形態】
【００１２】
1.実施の形態1
1-1.プレフィルドシリンジの全体構成
図1は、本発明の実施の形態1におけるプレフィルドシリンジと接続具（ロックナット）の構成を示す断面図である。ここでは説明上、プランジャ40は断面形状ではなく、通常の側面構成を示している。
【００１３】
図1に示されるプレフィルドシリンジ1の構成は、大きく分けてシリンジ本体10、針基20、プランジャ（押し子またはピストンとも称する）40等からなる。
シリンジ本体10はポリエチレン、ポリプロピレン、ポリカーボネート、ポリ塩化ビニル等の耐薬性に優れる材料を射出成形してなる筒状体である。その先端側は天面部110で封口されており、当該天面部110の中央部にルアー部120が突設されている。
【００１４】
一方、シリンジ本体10の後端側には開口部12が形成されている。ルアー部120は基本的に先細りのテーパー状に絞り加工されているが、当該テーパー形状の途中で段差部123が設けられており、これによって径の細いルアー根元部121と、ルアー部120先端側に位置する径の太いルアー先端部122が形成されている。
段差部123には後述の固定具20が嵌着される。また、ルアー先端部122はISO6/100に準じたテーパーが形成されており、一般的な針基20が容易に装着される。図1中、ルアー部120先端にはキャップ20が装着されている。
【００１５】
以下、シリンジ本体10の長手方向に沿った方向を「軸方向」、当該軸方向に対して垂直な方向を「径方向」という。
プランジャ40は、シリンジ本体10と同様に耐薬性に優れる樹脂材料からなり、補強目的に十字断面形状を持つプランジャ本体42の両端に、径方向に主面を有する円盤状の端部が形成された構造を持つ。前記端部の一方はユーザが指で押圧するための押圧端部41であって、他方の端部はシリンジ本体10内部に軸方向に挿入されるヘッド部43である。
【００１６】
ヘッド部43の先端にはパッキン44が配設されており、このパッキン44がシリンジ本体10の内壁と密に接触するようになっている。ここで、パッキン44および前記キャップ20によって内部封止されたシリンジ本体10内部には、薬剤100が貯留されている。
このような構成のプレフィルドシリンジでは、使用時にユーザは前記キャップ20をはずし、薬剤100を吐出できる状態にする。そしてユーザがプランジャ40の押圧端部を指でシリンジ側へ押し込むことによって、その押し込み量に応じてルアー部120先端から薬剤100が吐出される。
【００１７】
1-2.固定具およびロックナットの構成
本実施の形態1のプレフィルドシリンジ1では、その特徴として、シリンジ本体10側に対して容易に脱着可能な接続具であるロックナット30が、ルアー部120の軸方向に沿って挿通され、段差部123に配された固定具20と係合するように装着されている。当該ロックナット30は、医療現場において、プレフィルドシリンジ10を輸液ラインシステムまたは採血ラインシステム中の固定接続型ポートに接続するため等の接続具として用いられるものである。なお、ここではプレフィルドシリンジ1とロックナット30を組み合わせる構成を示しているが、本発明はプレフィルドシリンジ以外のシリンジに適用してもよい。
【００１８】
固定具20は、機械的強度および適度な弾性力を持つ樹脂材料を射出成形してなるものであって、図2の組図に示すように、挿通孔202を有する板状の固定具本体201と、固定具本体201の周面より一方向に延長された2本の板状アーム205、206と、同じく固定具本体201の周面より、前記一方向とは逆方向に延長された2本の板状のレバー203、204を有する。
固定具本体201の挿通孔202は、ルアー部120のルアー先端部122より若干小さく、ルアー根元部121より大きい径を有している。そして、この挿通孔202を利用して固定具20をルアー部120に対してルアー根元部121の位置まで無理ばめすることにより、段差部123と前記挿通孔202周辺が当接し、固定具20がルアー部120から簡単に外れないように保持される。この段差部123での「無理ばめ」による固定具本体201の保持を良好にするために、挿通孔202はルアー根元部121が最低限通る径で、出来るだけ小さいサイズが望ましい。また、固定具本体201の材質による弾力性によっても前記「無理ばめ」が可能なサイズが変化するので、挿通孔設計時はルアー根元部121のサイズと固定具20の材質特性を考慮に入れることが望ましい。
【００１９】
前記2本のアーム205、206は、シリンジ軸方向に沿って延長されており、各アーム205、206の先端内側には、三角断面形状を持つ突起2050、2060が形成されている。なお当該突起2050、2030の断面形状は例えば矩形状、半円状等、他の形状であってもよい。
一方、前記2本のレバー203、204とアーム205、206とは、固定具本体201周辺部分を起点として、シリンジ軸方向から互いにハの字型に反れるように揺動可能に形成されている。図2に示すようにレバー203、204は、固定具201における起点で前記2本のアーム205、206と対称的に形成されており、これによってレバー203、204を押圧すると、アーム205、206が軸方向から開くようになっている。この機構は、以下のロックナット30を脱着するためのものである。なお、前記挿通孔202の設計および前記揺動を良好に行うために、固定具20には適度な弾力性を有する部材（ポリプロピレン等）を使用することが望ましい。
【００２０】
ロックナット30は、機械的強度に優れる樹脂材料を射出成形してなる有底筒体であって、筒部に相当する側面部（外周面）301の内面には、例えばISO594-2に準じた規格の雌ねじ3010が螺刻されている。この雌ねじ3010は後述する雄ねじ5010と螺合するようになっている。
ロックナット30の底に当たる主面部302には、挿通孔305が設けられている。挿通孔305は、プレフィルドシリンジ1のルアー部120全体が遊挿できるように、少なくともルアー先端部122より大きい径に設定されている。ロックナットの側面部301には、凹部303、304が形成されている。この凹部303、304は、一例として矩形状の断面形状を有しており、前記固定具20のアーム205、206に設けられた突起2050、2060と係合できる位置およびサイズで設定されている。
【００２１】
1-3.シリンジとロックナットの係合について
ここでは本実施の形態1の特徴として、固定具20を介したシリンジ本体10とロックナット30との係合について、図2の組図を用いて説明する。なお、図2中では固定具20をルアー部120に装着する動作を表しているが、これはシリンジ本体10に初めて固定具20を装着するときの様子を示すものであって、本発明では一度ルアー部120と固定具20を装着すれば、以後これを再び外す必要はない。
【００２２】
以上の構成を有するロックナット30と、ルアー部120のルアー根元部121と嵌合し段差部123において保持された固定具20によれば、第一ステップとして、ユーザがまず固定具20のレバー203、204を指で挟むようにして押圧し、アーム205、206先端を軸方向から開けさせる。この状態で、プレフィルドシリンジ1の固定具20が装着されたルアー部120のルアー先端部122を軸方向に沿って、挿通孔305に挿通させる。このとき、当該挿通孔305はルアー部120のルアー先端部122に対して十分大きい径を有しているので、ロックナット30に対してスムーズにルアー部120を挿通させることが可能である。なお、挿通孔305は多少ルアー先端部122と摺動するサイズに設定しておき、簡単にルアー先端部122より脱離しないような工夫を施してもよい。
【００２３】
その後第二ステップとして、ユーザはロックナット30を十分ルアー部120側に挿通させたのち、ロックナット側面部301に設けられた凹部303、304と固定具20の突起2050、2060との相互位置を確認してレバー203、204の押圧を解放する。これによりアーム205、206の突起2050、2060がロックナット30側の凹部303、304と係合するので、当該ロックナット30が固定具20を介してシリンジ本体10側に良好に保持されることとなる。
【００２４】
一方、固定具20とロックナット30は、いったん互いに係合したのちも両者を次の所定の操作（固定具20に対して、シリンジ軸方向とは異なる方向に外力を加える）を行うことで、再び脱離させることができる。すなわち図３に示すように、ユーザが固定具20をホールドしながら、レバー203、204を押圧すれば、いわゆる「てこの原理」によってアーム205、206の突起2050、2060がロックナット30側の凹部303、304に対して解放状態となるので、この状態でロックナット30を軸方向に沿って引き抜くことができる。この操作は可逆的に簡単に（例えば片手でも）行えるので、これによって容易に、ロックナット30の必要時のみに、これをプレフィルドシリンジ1に装着し、不必要なときにはロックナット30を取り外してプレフィルドシリンジ1を使用することができる。
【００２５】
ここで図4は、ロックナット30を使用して、プレフィルドシリンジ1を輸液ラインシステムの固定接続型ポート50側と接続した状態を表す断面図である。当図に示すロックナット30の雌ねじ3010は、ポート50側の雄ねじ5010と螺合状態にあり、これによってプレフィルドシリンジ1のルアー部120のルアー先端部122は、ポート50内部に設けられたパッキン52と密に接触しており、輸液ライン中に挿入されている。ロックナット30は、アーム205、206の突起2050、2060およびロックナット30側の凹部303、304においてしっかりとシリンジ側と係合されており、例え若干の引っ張り力がプレフィルドシリンジ1に及んでも、当該プレフィルドシリンジ1が軸方向に沿ってポート50からはずれることはない。したがって、ユーザは長期にわたってプレフィルドシリンジ1をポート50に接続させておき、安心してプランジャ40をシリンジ本体10内部に適宜押し込み、必要量の薬剤100をポート50内部に投与することができる。
【００２６】
一方図5は、プレフィルドシリンジ1からロックナット30を外して、プレフィルドシリンジ1を輸液ラインシステムの直接接続型ポート500側と接続した状態を表す断面図である。このようにロックナット30が外された状態では、ルアー先端部122の周囲は解放されるので、当該ルアー先端部122がロックナット30に邪魔されることなくポート500内部のパッキン52に正しく且つ密にホールドされ、良好なプレフィルドシリンジ1とポート500の接続を実現することができる。したがって、このような直接接続型ポート500においても、ユーザは長期にわたってプレフィルドシリンジ1をポート500に接続させておき、安心してプランジャ40をシリンジ本体10内部に適宜押し込み、必要量の薬剤100をポート500内部に投与することができる。
【００２７】
また図6は、プレフィルドシリンジ1からロックナット30を外し、ルアー先端部122に針基60を装着した状態を示す断面図である。針基60はルアー先端部122の形状に合わせて形成された樹脂部材からなるソケット部61が、いわゆる注射針として針管62を保持した構成を有するものである。図10に示すように、ロックナットがセットされたまま外すことのできない従来構成のプレフィルドシリンジでは、ロックナットが邪魔してユーザがルアー部と針基の位置を目視確認するのが困難であり、誤穿刺によりユーザが感染菌に触れる危険性があったが、本実施の形態1では、固定具20からハの字形に延長されたレバー205、206の間から容易にルアー部周辺の位置関係を目視確認できるので、このような従来の問題を根本的に解決することができる。
【００２８】
＜その他の実施の形態について＞
実施の形態1では、アーム205、206と凹部303、304によって、ロックナット30をシリンジ側に装着する構成例を示したが、本発明は他にも以下に示す実施の形態で実施することができる。
2.実施の形態2
図7に示す実施の形態2の構成例では、まずロックナット30Aの側面部301Aに、その周面に沿って、スリット状の凹部303A、304Bが形成されている。これに対して固定具20Aには、実施の形態1のレバー203、204と同様のレバー203A、204Aが設けられているとともに、半円弧断面形状を持つアーム205A、206Aが配設されている。当該アーム205A、206Aは、固定具本体201Aから延長して設けられており、その起点付近にスリット207が入れられている。このスリット207によって、ユーザがレバー203A、204Aを押圧すれば、アーム205A、206Aが互いにハの字に開くようになっている。アーム205A、206Aの先端内側には、スリット状の凹部303A、304Bの形状に合わせて突起2050A、2060Aが形成されている。
【００２９】
本実施の形態2ではこのような構成を有する固定具20およびロックナット30であっても、実施の形態1と同等の効果が奏される。これに加えて実施の形態2では、アーム205A、206Aがロックナット30Aを包み込むようにホールドする構成であるため、がたつきを抑制してより確実にロックナット30Aを装着することができる。さらに本実施の形態2では、使用中においてロックナット30Aに径方向に回転力が及んだとしても、スリット状の凹部303A、304Bおよび突起2050A、2060Aの係合によりロックナット30Aの回転が良好に防止され、安定した係合を維持することが可能である。
【００３０】
3.実施の形態3
図8に示す実施の形態3の構成例では、ロックナット30Bの側面部301Bに、その周面に沿って、螺旋状に雌ねじ部303Bが形成されている。これに対して固定具20Bには、実施の形態1のレバー203、204と同様のレバー203B、204Bが設けられているとともに、複数の突起からなる雄ねじ部2050B、2060Bを持つアーム205B、206Bが形成されている。前記雌ねじ部303Bと雄ねじ部2050B、2060Bとは互いに螺合可能なサイズに形成されたものである。アーム205A、206Aは、固定具本体201Bから延長して設けられており、ユーザがレバー203B、204Bを押圧すれば、アーム205B、206Bが互いにハの字に開くようになっている。操作時には、ユーザがレバー203B、204Bを押圧し、雄ねじ部2050B、2060Bを開いてロックナット30Bの外周面に設けられた雌ねじ部303Bに接触させる。その後、固定具20Bまたはロックナット30Bを相対的に回転させることにより、前記雄ねじ部2050B、2060Bおよび雌ねじ部303Bを互いに螺合させる。
【００３１】
本実施の形態3ではこのような構成を有する固定具20およびロックナット30Bであっても、実施の形態1と同等の効果が奏される。これに加えて実施の形態3では、雄ねじ部2050B、2060Bと雌ねじ部303Bの螺合の締め付け具合（ロック強度）を調節することで、ガタツキや不要な固定具20またはロックナット30Bの回転を抑制して確実にロックナット30Bを装着することができる。これによって実施の形態2とほぼ同様に、使用中においてロックナット30Bに径方向に不要な回転力が及んだとしても、前記螺合によりロックナット30Bの回転が良好に防止され、安定した係合を維持できるといった効果が奏される。
【００３２】
4.その他の事項について
前述のプレフィルドシリンジ1は、ロックナット30を外したのち針基60を装着する例について説明したが、発明はこれに限定せず、針基の他にパイプ状のルアーやチューブなどを用いてもよい。針基を装着したプレフィルドシリンジ1では誤穿刺防止のため、針基および針管の上からこれらを覆い保護するように、キャップ等を取り付けると効果的である。このキャップは、バイアル瓶に用いられるキャップと同様のものを用いることができる。
【００３３】
また、本発明で用いるシリンジのルアー部は、円形断面形状のものに限らず、例えばルアー先端部およびルアー根元部の一方あるいはその両方が、矩形断面形状、楕円断面形状、三角断面形状のものであってもよい。要するに、ルアー先端部側の径がルアー根元部側の径より広がっている構成とする必要がある。
【産業上の利用可能性】
【００３４】
本発明の接続具付きシリンジ、およびシリンジに用いる接続具、並びにシリンジは、医療現場において患者に薬液を投与したり、血液を採取する目的で利用することができる。
【図面の簡単な説明】
【００３５】
【図１】実施の形態1に係るプレフィルドシリンジとロックナットの構成を示す断面図である。
【図２】プレフィルドシリンジ、固定具、およびロックナットの組図である。
【図３】固定具からロックナットを外すときの状態を示す図である。
【図４】プレフィルドシリンジの固定接続型ポートへの接続状態を示す図である。
【図５】プレフィルドシリンジの直接接続型ポートへの接続状態を示す図である。
【図６】従来の針基を装着したプレフィルドシリンジの構成を示す図である。
【図７】実施の形態2におけるロックナットの構成を示す図である。
【図８】実施の形態3におけるロックナットの構成を示す図である。
【図９】従来のロックナットとプレフィルドシリンジの構成を示す図である。
【図１０】従来のロックナットとプレフィルドシリンジの構成を示す図である。
【符号の説明】
【００３６】
1    プレフィルドシリンジ
10    シリンジ本体
12    （後端側）開口部
15    キャップ
20、20A、20B  固定具
30、30A、30B  ロックナット
40    プランジャ
41    押圧端部
42    プランジャ本体
43    ヘッド部
44    パッキン
44、52    パッキン
50、500    ポート
100    薬剤
110    天面部
120    ルアー部
121    ルアー先端部
122    ルアー根元部
123    段差部
202、202A、202B、305、305A、305B    挿通孔
203、203A、203B、204、204A、204B    レバー
205、205A、205B、206、206A、206B    アーム
303b  雌ねじ
2050B、2060B    雄ねじ
2050、2050A、2060、2060A    突起
3010    雌ねじ
【図１】
2005296135.tif 000003
【図２】
2005296135.tif 000004
【図３】
2005296135.tif 000005
【図４】
2005296135.tif 000006
【図５】
2005296135.tif 000007
【図６】
2005296135.tif 000008
【図７】
2005296135.tif 000009
【図８】
2005296135.tif 000010
【図９】
2005296135.tif 000011
【図１０】
2005296135.tif 000012